(57)【要約】  基部および顔部を有する頭部衣類が提供され、顔部は基部に付着され、かつ要素に対して磁気封止を生成するために使用者の顔の上に解除可能に延在する。また頭部衣類は、顔の被覆部が使用者の顔の上に延在しないときに、顔の被覆部を位置付けるために磁気締結具も含んでもよい。【選択図】図１Ａ、図１Ｂ、図１Ｃ
2019502038.tif 000002
【特許請求の範囲】
【請求項１】
頭部衣類であって、
基部外周を有する閉塞された顔開口を画定する基部であって、前記基部外周は上前額部および下顎部を有する、基部と、
前記基部外周の少なくとも一部に取り付けられ、前記基部外周の少なくとも一部に沿って延在する基部配管であって、前記第１の配管は基部の細長い空洞を画定する、基部配管と、
前記基部の細長い空洞の内側に配向された少なくとも１つの第１の細長い磁石であって、前記少なくとも１つの第１の細長い磁石は長さおよび幅を有し、前記長さは前記基部の細長い空洞の幅より実質的に長い、少なくとも１つの第１の細長い磁石と、
顔外周を有する顔部であって、前記顔外周は上鼻部および下顎部を有する、顔部と、
前記顔外周の少なくとも一部に取り付けられ、前記顔外周の少なくとも一部に沿って延在する顔配管であって、前記第２の配管は顔の細長い空洞を画定する、顔配管と、
前記顔の細長い空洞の内側に配向された少なくとも１つの第２の細長い磁石であって、前記少なくとも１つの第２の細長い磁石は長さおよび幅を有し、前記長さは前記顔の細長い空洞の幅より実質的に長い、少なくとも１つの第２の細長い磁石と
を備え、
前記基部の細長い空洞内の前記少なくとも１つの第１の細長い磁石は、前記顔開口の少なくとも一部の上に前記顔部を延在し、前記顔部を前記基部に磁気封止するために、前記顔の細長い空洞内の前記少なくとも１つの第２の細長い磁石内の対応する磁石に磁力で取り付けられる、
頭部衣類。
【請求項２】
前記基部の細長い空洞内の前記少なくとも１つの第１の細長い磁石は、２つの端部磁石および複数の内部磁石を備える、請求項１に記載の頭部衣類。
【請求項３】
前記顔部が前記基部に磁気封止されると、前記基部の細長い空洞内の各端部磁石は３つの個別の磁力を有する、請求項２に記載の頭部衣類。
【請求項４】
前記顔部が前記基部に磁気封止されると、前記基部の細長い空洞内の各内部磁石は少なくとも４つの個別の磁力を有する、請求項２に記載の頭部衣類。
【請求項５】
前記顔部が前記基部に磁気封止されると、前記基部の細長い空洞内の各内部磁石は５つの個別の磁力を有する、請求項２に記載の頭部衣類。
【請求項６】
前記顔の細長い空洞内の前記少なくとも１つの第２の細長い磁石は、２つの端部磁石および複数の内部磁石を備える、請求項１に記載の頭部衣類。
【請求項７】
前記顔部が前記基部に封止されると、前記顔の細長い空洞内の各端部磁石は３つの個別の磁力を有する、請求項６に記載の頭部衣類。
【請求項８】
前記顔部が前記基部に封止されると、前記顔の細長い空洞内の各内部磁石は少なくとも４つの個別の磁力を有する、請求項６に記載の頭部衣類。
【請求項９】
前記顔部が前記基部に封止されると、前記顔の細長い空洞内の各内部磁石は５つの個別の磁力を有する、請求項６に記載の頭部衣類。
【請求項１０】
前記基部外周の一部は、前記顔外周の対応する一部に付着される、請求項１に記載の頭部衣類。
【請求項１１】
前記基部外周の前記一部は、前記顔外周の前記対応する一部に縫い付け、スナップ、面ファスナー、ボタンまたはジッパーの内の１つによって付着される、請求項１０に記載の頭部衣類。
【請求項１２】
前記付着された部分は、前記基部外周の前記下顎部に沿って位置付けられる、請求項１０に記載の頭部衣類。
【請求項１３】
前記付着された部分は前記基部配管を第１の基部配管部と第２の基部配管部に分割し、前記顔配管を第１の顔配管部と第２の顔配管部にさらに分割し、前記少なくとも１つの第１の磁石は、前記第１の基部配管部と前記第２の基部配管部との間で分割された複数の第１の磁石を備え、前記少なくとも１つの第２の磁石は、前記第１の顔配管部と前記第２の顔配管部との間で分割された複数の第２の磁石を備える、請求項１２に記載の頭部衣類。
【請求項１４】
前記付着された部分は、前記基部外周の側部に沿って位置付けられる、請求項１０に記載の頭部衣類。
【請求項１５】
前記基部外周の前記側部上の縫い付けと同じ前記基部の側部上で、前記基部に取付けされた１つまたは複数の締結磁石をさらに備える、請求項１４に記載の頭部衣類。
【請求項１６】
前記顔の細長い空洞内の前記複数の第２の磁石の１つまたは複数は、前記基部に取り付けられた前記１つまたは複数の締結磁石に磁力で取り付けられるように位置付けられる、請求項１５に記載の頭部衣類。
【請求項１７】
頭部衣類であって、
基部外周を有する閉塞された顔開口を画定する基部であって、前記基部外周は上前額部および下顎部を有する、基部と、
前記基部外周の少なくとも一部に取り付けられ、前記基部外周の少なくとも一部に沿って延在する基部配管であって、前記第１の配管は幅を有する基部の細長い空洞を画定する、基部配管と、
前記基部の細長い空洞の内側に配向された第１の複数の細長い磁石であって、前記第１の複数の細長い磁石はそれぞれが長さおよび幅を有し、前記長さは前記基部の細長い空洞の前記幅より実質的に長い、第１の複数の細長い磁石と、
顔外周を有する顔部であって、前記顔外周は上鼻部および下顎部を有する、顔部と、
前記顔外周の少なくとも一部に取り付けられ、前記顔外周の少なくとも一部に沿って延在する顔配管であって、前記第２の配管は幅を有する顔の細長い空洞を画定する、顔配管と、
前記顔の細長い空洞の内側に配向された第２の複数の細長い磁石であって、前記第２の複数の細長い磁石はそれぞれが長さおよび幅を有し、前記長さは前記顔の細長い空洞の前記幅より実質的に長い、第２の複数の細長い磁石と
を備え、
前記第１の複数の細長い磁石内の個々の磁石の前記長さを、前記基部の細長い空洞の前記幅と組み合わせることにより、前記基部の細長い空洞内で個々の磁石のＸＹＺ方向の回転を防ぎ、前記第２の複数の細長い磁石内の個々の磁石の前記長さを、前記顔の細長い空洞の前記幅と組み合わせることにより、前記顔の細長い空洞内で個々の磁石のＸＹＺ方向の回転を防ぐ、
頭部衣類。
【請求項１８】
前記基部の細長い空洞内の前記第１の複数の細長い磁石内の各磁石は、前記顔開口の少なくとも一部の上に前記顔部を延在し、前記顔部を前記基部に磁気封止するために、前記顔の細長い空洞内の前記第２の複数の細長い磁石内の対応する磁石に磁気で取り付ける、請求項１７に記載の頭部衣類。
【請求項１９】
前記基部の細長い空洞内の前記第１の複数の細長い磁石内の各磁石は、前記顔の細長い空洞内の前記第２の複数の細長い磁石内の対応する磁石に磁力で引き付けられ、前記磁力は前記顔部を前記基部に封止するために、前記顔配管を基部配管に対して押圧する、請求項１８に記載の頭部衣類。
【請求項２０】
頭部衣類であって、
基部外周を有する閉塞された顔開口を画定する基部であって、前記基部外周は上前額部および下顎部を有する、基部と、
前記基部外周の少なくとも一部に取り付けられ、前記基部外周の少なくとも一部に沿って延在する基部配管であって、前記第１の配管は基部の細長い空洞を画定する、基部配管と、
顔外周を有する顔部であって、前記顔外周は上鼻部および下顎部を有する、顔部と、
前記顔外周の少なくとも一部に取り付けられ、前記顔外周の少なくとも一部に沿って延在する顔配管であって、前記第２の配管は顔の細長い空洞を画定する、顔配管と、
前記基部の細長い空洞または前記顔の細長い空洞の内側に配向された少なくとも１つの第１の細長い磁石であって、前記少なくとも１つの第１の細長い磁石は長さおよび幅を有し、前記長さは前記基部の細長い空洞の幅より実質的に長い、少なくとも１つの第１の細長い磁石と、
前記少なくとも１つの第１の細長い磁石に磁力で引き付けられ、前記顔の細長い空洞の内側に配向された少なくとも１つの第１の細長い引き付ける断片であって、前記少なくとも１つの引き付ける断片は長さおよび幅を有し、前記長さは前記顔の細長い空洞の幅より実質的に長い、少なくとも１つの第１の細長い引き付ける断片と
を備え、
前記基部の細長い空洞内の前記少なくとも１つの第１の細長い磁石は、前記顔開口の少なくとも一部の上に前記顔部を延在し、前記顔部を前記基部に磁気封止するために、前記顔の細長い空洞内の対応する少なくとも１つの第１の引き付ける断片に磁力で取り付ける、
頭部衣類。
【発明の詳細な説明】
【技術分野】
【０００１】
関連出願の相互参照
本出願は、２０１６年１月１３日に「磁気マスク」の名称で出願された米国特許出願第１４／９９５，０６６号の優先権を主張し、その全体が参照によって本明細書に組み込まれる。
【０００２】
本発明は、一般に寒冷気候の衣服に関し、より詳細には取り外し可能な顔面被覆を有する頭部衣類に関する。
【背景技術】
【０００３】
関連技術
寒冷気候環境では、頭部および身体を温かく保つために頭部衣類を着用することが望ましいことが多い。従来の頭部衣類の１つの問題は、使用者が活動し体熱を発生すると、頭部衣類により使用者の体温が過度に上昇する恐れがあることである。使用者の顔を覆う従来の頭部衣類のさらなる問題は、そのような顔面被覆により、使用者が話そうとするときに使用者を聞き取り難く、理解し難い、または飲食その他などの他の行動を行おうとするのを妨げることである。
【０００４】
これらの問題の解決策が提案されており、したがって一部の従来の頭部衣類は、過剰の熱を逃すことができ、使用者が効率的に会話できるために取り除くことができる、取り外し可能なマスクを有する。このような従来の解決策は、取り外し可能なマスク部の機能が失われるという難点があり、それによって寒冷気候において頭部衣類の効率が著しく低減する。
【０００５】
加えてこのような従来の解決策は、使用者が手袋などの他の防寒服を着用しながら、マスクを頭部衣類に接合するそれぞれの締結具を位置合わせして取り付けるのが困難であるという難点がある。この問題は、機械的締結具（例えばスナップおよびボタン）を磁石に置換することによって対処されてきた。しかしこれらの型の締結具はいずれも、冷気および風が締結具の隙間から使用者の顔に達するさらなる問題を生み出し、これも寒冷気候において頭部衣類の効率を著しく低減させる。
【発明の概要】
【発明が解決しようとする課題】
【０００６】
したがって、上記のような従来の頭部衣類に見出されたこれらの重大な問題を克服する頭部衣類が必要とされている。
【課題を解決するための手段】
【０００７】
上記の問題を解決するために、どちらも基部に部分的に付着され、基部から取り外し可能である、基部および磁気封止された顔部を備えた頭部衣類が本明細書に記載されている。頭部衣類は、使用者の顔のための内部開口を画定する基部を含み、内部開口は、下縁部および上縁部を備えた外周を有する。内部開口の外周は、下縁部の少なくとも一部に沿って延在し、第１の細長い内部空洞を画定する第１の配管を有する。第１の細長い内部空洞の内側に、第１の複数の細長い磁石がある。各磁石は、第１の細長い内部空洞の幅より長い長さを有してもよい。別法として、磁石の長さは、その幅以下に短いことが可能である。第１の細長い内部空洞内の磁石は、各磁石がその１つまたは２つの隣接した磁石のそれぞれに磁力で引き付けられるように配置される。
【０００８】
また頭部衣類は、下縁部および上縁部を有する外周縁部を備えた顔部も有する。顔部の外周は下縁部の少なくとも一部に沿って延在し、第２の細長い内部空洞を画定する第２の配管を有する。第２の細長い内部空洞の内側に、第２の複数の細長い磁石があり、それぞれは第２の細長い内部空洞の幅より長い長さを有する。第２の細長い内部空洞内の磁石は、各磁石がその１つまたは２つの隣接した磁石のそれぞれに磁力で引き付けられるように配置される。
【０００９】
また基部の内部開口の外周縁部の一部に付着された、その外周縁部の一部も有する顔部。顔部を縫い付けもしくは熱封止または同種のものによって付着することができる。
【００１０】
また第１および第２の配管内の磁石も、第１の配管内の各磁石が第２の配管内の対応する磁石に磁力で引き付けられるように配置される。したがって顔部が基部に近づけられると、第１の配管内の各磁石は、使用者の顔の上に顔部を磁気封止するために、第２の配管内のその対応する磁石に磁力で取り付けられる。使用者が磁気封止を引き離すことによりマスクを取り除くと、外周縁部の付着された部分は顔部を基部に保持する。
【００１１】
本発明の他の特徴および利点は、以下の詳述および添付図面を精査した後に当業者にはより容易に明らかになろう。
【００１２】
本発明の構造および作動は、以下の詳述および添付図面を精査することにより理解されよう。添付図面において同じ参照番号は同じ部分を指す。
【図面の簡単な説明】
【００１３】
【図１Ａ】本発明の一実施形態による、基部および顔部を有する例示的頭部衣類を示す正面図である。
【図１Ｂ】本発明の一実施形態による、取り外された顔部を示す、図１Ａの例示的頭部衣類の正面図である。
【図１Ｃ】本発明の代替実施形態による、取り外された顔部を示す、図１Ａの例示的頭部衣類の正面図である。
【図２Ａ】本発明の一実施形態による、基部配管および顔配管内の例示的磁石配置を示す、図１Ａの例示的頭部衣類の拡大正面図である。
【図２Ｂ】本発明の一実施形態による、基部配管と顔配管との間の例示的磁気封止を示す、図１Ａの例示的頭部衣類の拡大正面図である。
【図２Ｃ】本発明の一実施形態による、基部配管と顔配管との間の例示的磁気封止を示す、図１Ａの例示的頭部衣類の拡大正面図である。
【図３Ａ】本発明の一実施形態による、例示的な取り外された顔部を示す、図１Ａの例示的頭部衣類の正面図である。
【図３Ｂ】本発明の代替実施形態による、基部内の例示的磁気締結具を示す、図１Ａの例示的頭部衣類の側面図である。
【図３Ｃ】本発明の代替実施形態による、基部に磁気締結された例示的顔部を示す、図１Ａの例示的頭部衣類の側面図である。
【図４Ａ】本発明の一実施形態による、例示的磁石を示すブロック図である。
【図４Ｂ】本発明の一実施形態による、基部配管または顔配管内の磁石の例示的配置を示すブロック図である。
【図４Ｃ】本発明の一実施形態による、基部配管および配管部内の磁石の例示的配置を示すブロック図である。
【図４Ｄ】本発明の一実施形態により、基部および顔部が封止されたときの、磁石の例示的配置を示すブロック図である。
【図５Ａ】本発明の代替実施形態による、例示的磁石を示すブロック図である。
【図５Ｂ】本発明の代替実施形態による、基部または顔部内の磁石の例示的配置を示すブロック図である。
【図５Ｃ】本発明の代替実施形態による、基部および顔部内の磁石の例示的配置を示すブロック図である。
【図５Ｄ】本発明の代替実施形態により、基部および顔部が封止されたときの、磁石の例示的配置を示すブロック図である。
【発明を実施するための形態】
【００１４】
本明細書に開示されたある特定の実施形態は、使用者の顔を要素から磁気封止で保護するために、基部に磁力で取り付けることができる顔部を含む頭部衣類を提供する。顔部は別法として使用者の顔を冷やすことができ、また使用者は効率的な方法で言語伝達もできるように取り外し可能である。この記載を読んだ後、本発明を様々な代替実施形態および代替応用に実装する仕方が当業者には明らかになろう。しかし本発明の様々な実施形態が本明細書に記載されているが、これらの実施形態は例示のために過ぎず、限定のために表されているのではないことを理解されたい。したがって様々な代替実施形態のこの詳述は、添付の特許請求の範囲に記述されているように、本発明の範囲または規模を限定すると解釈されるべきではない。
【００１５】
図１Ａは、本発明の一実施形態による、基部２０および顔部３０を有する例示的頭部衣類１０を示す正面図である。基部２０は、単一の材料片または複数の材料片で作成されてもよい。示された実施形態では、基部２０はフードの形であるが、当業者に理解されるように代替の形も利用されてもよく、例えば基部２０はフードを取り除き、それによって頭の上部を覆わなくてもよい。また顔部３０も単一の材料片または複数の材料片で作成されてもよい。代替実施形態では、基部２０および顔部３０のどちらも、連結部５０（図示せず）が基部２０の材料を顔部３０の材料に付着しないように単一の材料片から作成されてもよいが、その代わりに連続した単一の材料片である。
【００１６】
基部２０は内基部外周６０を有する。基部外周６０は閉塞された顔開口４０を画定する。基部外周６０は上前額部および下顎部を有する。基部配管８０は基部外周６０の少なくとも下部に取り付けられる。一実施形態では、基部配管８０は基部外周６０の下部の１つまたは複数の断片に取り付けられ、基部外周６０の下部の１つまたは複数の断片に沿って延在する。基部配管８０は基部の細長い空洞８２（図示せず）を画定する。連結部５０（図示せず）が使用者の顎の付近に据えられる一実施形態では、それぞれが基部外周６０の下部に沿って延在し、連結部５０（図示せず）によって分離される、基部配管８０の２つの個別の断片が存在する。連結部５０（図示せず）が使用者の一方の頬の付近に据えられる代替実施形態では、基部配管８０は基部外周６０の下部に沿って延在する、基部配管８０の単一の断片が存在する。基部２０は、羊毛、織物、ネオプレン、高分子、ゴムおよびエラストマ、その他などの積層ならびに膜を含む、あらゆる種々の材料から作成されてもよい。
【００１７】
顔外周７０は、頭部衣類１０を使用者が着用すると、基部外周６０の下部の形状に一致するようにパターン化される。顔部３０は顔外周７０を含み、その一部は例えば連結部５０（図示せず）により基部２０に付着され、連結部５０は縫い付け、スナップ、面ファスナー、ボタン、ジッパーなどによって付着されてもよい。顔外周７０は、上鼻部および下顎部を有する。顔部３０が適所に磁気封止されると、顔外周７０の上部は使用者の顔を横切って延在し、例えば第１の頬を横切り、鼻梁を超えて、第２の頬を横切る。顔部３０は、使用者の鼻を収容するために切り取り部７６を含んでもよく、また顔部３０が適所で磁気封止されると、顔部３０は使用者の口の上に配置された１つまたは複数の貫通孔７８も含んでもよい。
【００１８】
一実施形態では、顔配管９０は顔外周７０の少なくとも下部に取り付けられ、顔外周７０の少なくとも下部に沿って延在する。顔配管９０は顔の細長い空洞９２（図示せず）を画定する。連結部５０（図示せず）が使用者の顎の付近に据えられる一実施形態では、それぞれが顔外周７０の下部に沿って延在し、連結部５０（図示せず）によって分離される、顔配管９０の２つの個別の断片が存在する。連結部５０（図示せず）が使用者の一方の頬の付近に据えられる代替実施形態では、顔配管７０は顔下部の外周７２の一部に沿って延在する、顔配管７０の単一の断片が存在する。顔部３０は、羊毛、織物、ネオプレン、高分子、プラスチック、ゴムおよびエラストマ、その他などの積層ならびに膜を含む、あらゆる種々の材料から作成されてもよい。
【００１９】
図１Ｂは、本発明の一実施形態による、磁気的に取り外された顔部３０を示す、図１Ａの例示的頭部衣類１０の正面図である。示された実施形態では、顔部３０は、使用者の顔を横切って封止されていないが、顔部３０は、使用者の顎の付近に据えられた連結部５０によって基部２０に取り付けられたままである。有利なことに、顔部３０は、使用者の顔および頭を冷却でき、使用者による言語伝達を容易にできる一方で、また頭部衣類１０に統合されたままであるために、示されたように取り外されてもよい。
【００２０】
図１Ｃは、本発明の代替実施形態による、取り外された顔部３０を示す、図１Ａの例示的頭部衣類１０の正面図である。示された実施形態では、顔部３０は、使用者の顔を横切って封止されていないが、顔部３０は、使用者の頬の付近に据えられた連結部５０によって基部２０に取り付けられたままである。有利なことに、顔部３０は、使用者の顔および頭を冷却でき、使用者による言語伝達を容易にさせる一方で、また頭部衣類１０に統合されたままであるために、示されたように取り外されてもよい。
【００２１】
図２Ａは、本発明の一実施形態による、基部配管８０および顔配管９０内の例示的磁石１００の配置を示す、図１Ａの例示的頭部衣類１０の拡大正面図である。示された実施形態では、複数の磁石１００は、基部配管８０によって画定された基部の細長い空洞８２内に位置付けられている。加えて複数の磁石１００は、顔配管９０によって画定された顔の細長い空洞９２内に位置付けられている。基部の細長い空洞８２内に位置付けられた磁石１００は、顔の細長い空洞９２内に位置付けられた対応する磁石１００を有する。基部の細長い空洞８２内に位置付けられた各磁石１００は、顔の細長い空洞９２内に位置付けられたその対応する磁石１００に面する北または南の磁極を有し、顔の細長い空洞９２内に位置付けられたその対応する磁石１００は、次いで基部の細長い空洞８２内に位置付けられた対応する磁石１００に面する、反対の北または南の磁極を有する。したがって顔部３０が基部２０に近づけられると、基部の細長い空洞８２内の各磁石１００は、顔の細長い空洞９２内のその対応する磁石１００に引き付けられ、得られる磁石の対は顔部３０を基部２０に封止する。
【００２２】
代替実施形態では、単一の磁石１００は、基部配管８０によって画定された基部の細長い空洞８２内に位置付けられる。加えて単一の磁石１００は、顔配管９０によって画定された顔の細長い空洞９２内に位置付けられる。したがって基部の細長い空洞８２および顔の細長い空洞９２内の各単一の磁石１００は、実質的にそのそれぞれの空洞（８２、９２）の第１の端部からそのそれぞれの空洞（８２、９２）の第２の端部に延在する。このように基部の細長い空洞８２内に位置付けられた単一の磁石１００は、顔の細長い空洞９２内に位置付けられた対応する磁石１００を有する。また基部の細長い空洞８２内に位置付けられた単一の磁石１００は、顔の細長い空洞９２内に位置付けられたその対応する磁石１００に面する北または南の磁極を有し、顔の細長い空洞９２内に位置付けられたその対応する磁石１００は、次いで基部の細長い空洞８２内に位置付けられた対応する磁石１００に面する、反対の北または南の磁極を有する。したがって顔部３０が基部２０に近づけられると、基部の細長い空洞８２内の単一の磁石１００は、顔の細長い空洞９２内のその対応する単一の磁石１００に引き付けられ、得られる磁石の対は顔部３０を基部２０に封止する。
【００２３】
加えて基部の細長い空洞８２および顔の細長い空洞９２の内側の各磁石１００は、その短縁部の１つに沿ってその隣接した磁石１００（または内部磁石１００の場合は磁石１００）の最も近い短縁部に磁力で引き付けられる。各細長い空洞（８２、９２）内の内部の短縁部の磁力は、有利なことに各細長い空洞（８２、９２）内で、ひいては基部外周６０の少なくとも下部に沿って、また顔外周７０の少なくとも下部に沿って断片化された可鍛性の磁気封止された遮蔽を生成する。
【００２４】
代替実施形態では、単一の細長い磁石１００は、先に記載された複数の磁石１００と同じ空間を基部配管８０内で満たしてもよい。同様に単一の細長い磁石１００は、先に記載された複数の磁石１００と同じ空間を顔配管９０内でも満たしてもよい。このような実施形態では、単一の細長い磁石１００は、単一の細長い磁石１００の形状が基部配管８０または顔配管９０のあらゆる湾曲に一致するために、押出成形によって形成されてもよい。このような実施形態では、基部配管８０内の単一の細長い磁石１００は、反対の極を有する磁石材料から作成された顔配管９０内の単一の細長い磁石１００に引き付けられる、単一極を有する磁石材料から作成されてもよい。別法として、単一の細長い磁石１００は、基部配管８０内の単一の細長い磁石１００と顔配管９０内の単一の細長い磁石１００との間の位置合わせおよび磁力を促進するために、種々のやり方で配置された両磁極を備えてもよい。
【００２５】
加えて一実施形態では、細長い磁石１００は、基部外周６０に直接取り付けられ、基部配管８０の必要性を除去してもよい。同様に細長い磁石１００は、顔外周７０に直接取り付けられ、顔配管９０の必要性を除去してもよい。このような実施形態では、細長い磁石１００を縫い付け、溶接、接着または同種のものによって取り付けることができる。加えて基部外周６０に直接取り付けられた細長い磁石１００、および顔外周７０に直接取り付けられた細長い磁石１００は、互いに磁力で引き付けられ、得られる磁石の対は顔部３０を基部２０に封止する。
【００２６】
加えて代替実施形態では、基部配管８０は１つまたは複数の磁石１００を含んでもよい一方で、対応する顔配管９０は磁石が引き付けられる金属を備える、１つまたは複数の断片（図示せず）を含んでもよい。別法として、顔配管９０は１つまたは複数の磁石１００を含んでもよい一方で、対応する基部配管８０は磁石が引き付けられる金属を備える、１つまたは複数の断片（図示せず）を含んでもよい。これらの代替実施形態では、磁石は１つの配管内に含まれるに過ぎない一方で、対応する配管は磁石が引き付けられる金属を含む。
【００２７】
図２Ｂは、本発明の一実施形態による、基部配管８０と顔配管９０との間の例示的磁気封止を示す、図１Ａの例示的頭部衣類１０の拡大正面図である。示された実施形態では、具体的には示されたように磁石１００Ｂを含む、複数の磁石１００が、基部の細長い空洞８２内に位置付けられている。加えて具体的には示されたように磁石１００Ａを含む、複数の磁石１００が、顔の細長い空洞９２内にも位置付けられている。顔配管９０が基部配管８０に近づけられると、顔の細長い空洞９２内の磁石１００Ｂは基部の細長い空洞８２内の磁石１００Ａに引き付けられ、磁石１００Ａと磁石１００Ｂとの間の得られる磁石の対は、顔配管９０の一部を、基部配管８０のその対応する一部に封止する。
【００２８】
図２Ｃは、本発明の一実施形態による、基部配管８０と顔配管９０との間の例示的磁気封止を示す、図１Ａの例示的頭部衣類１０の拡大正面図である。示された実施形態では、具体的には示されたように磁石１００Ｂおよび１００Ｄを含む、複数の磁石１００が、基部の細長い空洞８２内に位置付けられている。加えて具体的には示されたように磁石１００Ａおよび１００Ｃを含む、複数の磁石１００が、顔の細長い空洞９２内にも位置付けられている。顔配管９０が基部配管８０に近づけられると、顔の細長い空洞９２内の磁石１００Ａは基部の細長い空洞８２内の磁石１００Ｂに引き付けられ、顔の細長い空洞９２内の磁石１００Ｃは基部の細長い空洞８２内の磁石１００Ｄに引き付けられる。加えて磁石１００Ａおよび磁石１００Ｃは、それらの隣接した短縁部上に互いに引き付けられ、磁石１００Ｂおよび磁石１００Ｄは、それらの隣接した短縁部上に互いに引き付けられる。磁石１００Ａ、１００Ｂ、１００Ｃおよび１００Ｄの間の得られる磁石の対の組合せは、顔配管９０の一部を基部配管８０のその対応する一部に封止し、頭部衣類１０の顔部３０と基部２０との間の封止の一部を形成する、断片化された可鍛性の磁気遮蔽を生成する。有利なことに磁気封止は、顔部３０と基部２０との間に要素の抵抗封止を生成するように、顔配管９０を基部配管８０に押圧する。
【００２９】
図３Ａは、本発明の一実施形態による、例示的取り外された顔部３０を示す、図１Ａの例示的頭部衣類１０の正面図である。示された実施形態では、顔部３０は、使用者の顎付近に据えられた連結部５０を介して基部２０に取り付けられている。顔部３０が取り外されると、顔の細長い空洞９２Ａの第１の断片内の複数の磁石１００のそれぞれは、その長縁部に沿って顔の細長い空洞９２Ｂの第２の断片内の対応する１対の磁石１００に磁力で引き付けられる。有利なことに連結部５０によって分離された顔の細長い空洞９２の断片内のこの対の磁石は、顔部３０をその取り外された状態で外れて磁力で固定することができる。
【００３０】
図３Ｂは、本発明の代替実施形態による、基部２０内の例示的磁気締結具２２を示す、図１Ａの例示的頭部衣類１０の側面図である。代替実施形態では、締結具２２は、基部２０に取り付けられた、または別法として２層の基部２０（一実施形態では基部２０は２つ以上の層を含む）の間に位置付けられた、１つまたは複数の磁石１００を備えてもよい。締結具２２は配管２４を含んでもよく、配管２４の内部に１つまたは複数の磁石１００が収納され、そのような実施形態では、配管を例えば縫い付け（図示せず）により基部に固定できる。
【００３１】
有利なことに顔部３０が取り外され、基部２０の側面に沿って使用者の頭の背後に向かって延在されると、顔の細長い空洞９２内の複数の磁石１００の１つまたは複数は、その長縁部に沿って締結具２２の対応する１つまたは複数の磁石１００の長縁部に磁力で引き付けられる。したがって締結具２２内の１つまたは複数の磁石１００と顔の細長い空洞９２内の１つまたは複数の磁石１００の磁力の対により、顔部３０をその取り外され状態で外れて磁力で固定することができる。
【００３２】
図３Ｃは、本発明の代替実施形態による、基部２０に磁気締結された例示的顔部３０を示す、図１Ａの例示的頭部衣類１０の側面図である。示された実施形態では、顔の細長い空洞９２内の１つまたは複数の磁石１００は、顔部３０をその取り外され状態で外れて磁力で固定するために、締結具２２内の１つまたは複数の磁石１００に磁力で締結される。
【００３３】
図４Ａは、本発明の一実施形態による、例示的磁石１００を示すブロック図である。一実施形態では、磁石１００は細長い形状を有し、概ね立方体または円筒形または多角形の三次元形状を有してもよい。磁石１００の縁部は、正方形または円形であってもよい。磁石１００の長さは、基部の細長い空洞８２および顔の細長い空洞９２の幅より実質的に大きく、基部の細長い空洞８２および顔の細長い空洞９２のそれぞれはほぼ同じ幅を有する。磁石１００の長さの目的は、基部の細長い空洞８２または顔の細長い空洞９２内で磁石１００のいかなるＸＹＺ方向の位置回転も防ぐことである。顔部３０が基部２０に封止されたときに、基部の細長い空洞８２および顔の細長い空洞９２内の各内部磁石１００は、３側面（すなわち１つの長縁部および２つの短縁部）上の対応する磁石１００に磁力で取り付けられるので、配管内の磁石１００の適切なＸＹＺ方向の配向を維持することは重要である。また顔部３０が基部２０に封止されたときに、基部の細長い空洞８２および顔の細長い空洞９２内の各端部磁石１００は、２側面（すなわち１つの長縁部および１つの短縁部）上の対応する磁石１００に磁力で取り付けられる。
【００３４】
磁石１００の長さのさらなる目的は、基部外周６０および顔外周７０が頭部衣類１０および使用者の顔の輪郭に沿って曲がることである。したがって磁石１００の長さは、配管内でＸＹＺ方向の位置回転を防ぐように十分に長いが、配管が頭部衣類１０および使用者の顔の輪郭に沿って曲がることができるように十分に短い、両方でなければならない。一実施形態では、各磁石１００の長さは約２センチメートル（２ｃｍ）であり、別法として約１センチメートル（１ｃｍ）〜３センチメートル（３ｃｍ）の範囲内であってもよい。
【００３５】
示された実施形態では、磁石１００は磁北極部１０５および磁南極部１１０を備える。磁北極部１０５および磁南極部１１０は、それぞれ磁石１００の材料のほぼ半分を備える。磁石１００は２つの長縁部１２０、１２５、および２つの短縁部１３０、１３５を有する。磁北極部１０５は、長縁部１２０の全長、および２つの短縁部１３０、１３５のそれぞれの長さの一部に沿って延在する。磁南極部１１０は、長縁部１３５の全長、および２つの短縁部１３０、１３５のそれぞれの長さの一部に沿って延在する。
【００３６】
図４Ｂは、本発明の一実施形態による、基部配管８０または顔配管９０内の磁石１００Ａおよび１００Ｂの例示的配置を示すブロック図である。示された実施形態では、磁石１００Ａは、第１の短縁部上の磁北極部１３５Ａおよび同じ第１の短縁部上の磁南極部１３５Ｂを含む。同様に磁石１００Ｂは、第１の短縁部上の磁北南極部１３０Ａおよび同じ第１の短縁部上の磁南極部１３０Ｂを含む。磁石１００Ａおよび磁石１００Ｂの短縁部が互いに近づくと、磁石１００Ａおよび磁石１００Ｂの短縁部は、長縁部１２０Ａおよび１２０Ｂが概ね平行または同じ方向に面するとき、かつ長縁部１２５Ａおよび１２５Ｂも概ね平行または同じ方向に面するときのみ、互いに引き付けられる。したがって磁石１００は、具体的には各磁石１００がその隣接部に磁力で引き付けられるように配管内で配向され、単一の配管内で磁石１００と組み合わせて、配管内で互いに磁力で連結されたまま折り曲げることができる可鍛性の磁気遮蔽を形成する。
【００３７】
図４Ｃは、本発明の一実施形態による、顔配管９０内の磁石１００Ａ、１００Ｂおよび１００Ｃ、ならびに基部配管８０内の磁石１００Ｄ、１００Ｅおよび１００Ｆの例示的配置を示すブロック図である。示された実施形態では、磁石１００Ａはそれぞれの短縁部に沿って磁石１００Ｂに連結され、磁石１００Ｂはそれぞれの短縁部に沿って磁石１００Ｃに連結される。磁石１００Ａ、１００Ｂおよび１００Ｃは顔配管９０内の顔の細長い空洞９２内に位置付けられる。同様に磁石１００Ｄはそれぞれの短縁部に沿って磁石１００Ｅに連結され、磁石１００Ｅはそれぞれの短縁部に沿って磁石１００Ｆに連結される。磁石１００Ｄ、１００Ｅおよび１００Ｆは基部配管８０内の基部の細長い空洞８２内に位置付けられる。
【００３８】
顔配管９０が基部配管８０に近づくと、磁石１００Ａおよび磁石１００Ｄは、磁力１１５Ａによってそれぞれの長縁部に沿って互いに磁力で引き付けられ、磁石１００Ｂおよび磁石１００Ｅは、磁力１１５Ｂによってそれぞれの長縁部に沿って互いに磁力で引き付けられ、磁石１００Ｃおよび磁石１００Ｆは、磁力１１５Ｃによってそれぞれの長縁部に沿って互いに磁力で引き付けられる。
【００３９】
図４Ｄは、本発明の一実施形態により、基部２０および顔部３０が封止されたときの、顔配管９０内の磁石１００Ａ、１００Ｂおよび１００Ｃ、ならびに基部配管８０内の磁石１００Ｄ、１００Ｅおよび１００Ｆの例示的配置を示すブロック図である。示された実施形態では、顔配管９０内の各磁石の短縁部に沿った磁力１１５は、各磁石を顔配管９０内のその隣接した磁石に連結させる。同様に基部配管８０内の各磁石の短縁部に沿った磁力１１５は、各磁石を基部配管８０内のその隣接した磁石に連結させる。
【００４０】
さらに磁石１００Ａおよび１００Ｄの隣接した長縁部に沿った磁力１１５は、顔部３０と基部２０との間に封止の一部を形成する。加えて磁石１００Ｂおよび１００Ｅ、ならびに磁石１００Ｃおよび１００Ｆの隣接した長縁部に沿った磁力１１５も、顔部３０と基部２０との間に封止の一部を形成する。配管内の個々の磁石の間の磁気封止、および顔配管９０と基部配管８０の対応する磁石の間の磁気封止を組み合わせて、顔部３０と基部２０との間に全体の磁気封止を形成し、これにより顔部３０を基部２０から取り外し、また基部２０に再び取り付けることができ、取り付けたとき、封止は風雨および冷却要素が基部２０と顔部３０との間の連結部で頭部衣類１０に侵入するのを防ぐ。
【００４１】
有利なことに顔部２０が基部３０に封止されると、各内部磁石１００Ｂおよび１００Ｅは、少なくとも３つの異なる側面上で別の磁石に磁気連結され、５つの独立した磁力を有する一方で、各端部磁石１００Ａ、１００Ｃ、１００Ｄ、１００Ｆは２つの異なる側面上で別の磁石に磁気連結され、３つの独立した磁力を有する。
【００４２】
図５Ａは、本発明の代替実施形態による、例示的磁石１００を示すブロック図である。一実施形態では、磁石１００は細長い形状を有し、概ね立方体または円筒形の三次元形状を有してもよい。磁石１００の縁部は、正方形または円形であってもよい。磁石１００の長さは、基部の細長い空洞８２および顔の細長い空洞９２の幅より実質的に大きく、基部の細長い空洞８２および顔の細長い空洞９２のそれぞれはほぼ同じ幅を有する。磁石１００の長さの目的は、基部の細長い空洞８２または顔の細長い空洞９２内で磁石１００のいかなるＸＹＺ方向の位置回転も防ぐことである。顔部３０が基部２０に封止されたときに、基部の細長い空洞８２および顔の細長い空洞９２内の各内部磁石１００は、３側面（すなわち１つの長縁部および２つの短縁部）上の対応する磁石１００に磁力で取り付けられるので、配管内の磁石１００の適切なＸＹＺ方向の配向を維持することは重要である。また顔部３０が基部２０に封止されたときに、基部の細長い空洞８２および顔の細長い空洞９２内の各端部磁石１００は、２側面（すなわち１つの長縁部および１つの短縁部）上の対応する磁石１００に磁力で取り付けられる。代替実施形態では、基部の細長い空洞８２または顔の細長い空洞９２内の磁石１００の磁極の配置、および基部の細長い空洞８２または顔の細長い空洞９２内の磁石１００の磁極間の引力が、磁石１００がＸＹＺ方向の位置回転を防ぐので、磁石１００はあらゆる長さおよびあらゆる幅を有することができる。
【００４３】
磁石１００の長さのさらなる目的は、基部外周６０および顔外周７０が頭部衣類１０および使用者の顔の輪郭に沿って曲がることができることである。したがって磁石１００の長さは、配管内でＸＹＺ方向の位置回転を防ぐように十分に長いが、配管が頭部衣類１０および使用者の顔の輪郭に沿って曲がることができるように十分に短い、両方でなければならない。一実施形態では、各磁石１００の長さは約２センチメートル（２ｃｍ）であり、別法として約１センチメートル（１ｃｍ）〜３センチメートル（３ｃｍ）の範囲内であってもよい。
【００４４】
示された実施形態では、磁石１００は磁北極部１０５および磁南極部１１０を備える。磁北極部１０５および磁南極部１１０は、それぞれ磁石１００の材料のほぼ半分を備える。磁石１００は２つの長縁部１２０、１２５、および２つの短縁部１３０、１３５を有する。磁北極部１０５は、短縁部１３０を含む磁石１００の全長の約半分を備える。磁南極部１１０は、短縁部１３５を含む磁石１００の全長の他方の約半分を備える。
【００４５】
図５Ｂは、本発明の一実施形態による、基部配管８０または顔配管９０内の磁石１００Ａおよび１００Ｂの例示的配置を示すブロック図である。示された実施形態では、磁石１００Ａの磁南極部１１０が磁石１００Ｂの磁北極部１０５に近づくと、磁力１１５により２つの磁石が互いに引き付けられる。したがって磁石１００Ａおよび１００Ｂは、具体的には磁石１００Ａがその隣接部（例えば磁石１００Ｂ）に磁力で引き付けられるように配管内に位置付けられ、単一の配管内で磁石１００と組み合わせて、配管内で互いに磁力で連結されたまま折り曲げることができる可鍛性の磁気遮蔽を形成する。
【００４６】
図５Ｃは、本発明の一実施形態による、顔配管９０内の磁石１００Ａ、１００Ｂおよび１００Ｃ、ならびに基部配管８０内の磁石１００Ｄ、１００Ｅおよび１００Ｆの例示的配置を示すブロック図である。示された実施形態では、磁石１００Ａはそれぞれの短縁部に沿って磁石１００Ｂに連結され、磁石１００Ｂはそれぞれの短縁部に沿って磁石１００Ｃに連結される。磁石１００Ａ、１００Ｂおよび１００Ｃは顔配管９０内の顔の細長い空洞９２内に位置付けられる。同様に磁石１００Ｄはそれぞれの短縁部に沿って磁石１００Ｅに連結され、磁石１００Ｅはそれぞれの短縁部に沿って磁石１００Ｆに連結される。磁石１００Ｄ、１００Ｅおよび１００Ｆは基部配管８０内の基部の細長い空洞８２内に位置付けられる。
【００４７】
顔配管９０が基部配管８０に近づくと、磁石１００Ａの長縁部の磁北極部１０５および磁南極部１１０は、それぞれが反対側に、したがって磁力１１５Ａおよび１１５Ｂによって磁石１００Ｄの長縁部の磁気的に対応する磁南極部１１０および磁北極部１０５に磁力で引き付けられる。同様に磁石１００Ｂおよび１００Ｃの長縁部の磁北極部１０５および磁南極部１１０は、それぞれが反対側に、したがって磁力１１５Ｃ、１１５Ｄ、１１５Ｅおよび１１５Ｆによって磁石１００Ｅおよび１００Ｆの長縁部の磁気的に対応する磁南極部１１０および磁北極部１０５に磁力で引き付けられる。
【００４８】
図５Ｄは、本発明の一実施形態により、基部２０および顔部３０が封止されたときの、顔配管９０内の磁石１００Ａ、１００Ｂおよび１００Ｃ、ならびに基部配管８０内の磁石１００Ｄ、１００Ｅおよび１００Ｆの例示的配置を示すブロック図である。示された実施形態では、顔配管９０内の各磁石の短縁部に沿った磁力１１５は、各磁石を顔配管９０内のその隣接した磁石に連結させる。同様に基部配管８０内の各磁石の短縁部に沿った磁力１１５は、各磁石を基部配管８０内のその隣接した磁石に連結させる。
【００４９】
さらに磁石１００Ａおよび１００Ｄの隣接した長縁部の２つの部分に沿った二重磁力１１５は、顔部３０と基部２０との間に封止の一部を形成する。加えて磁石１００Ｂおよび１００Ｅならびに磁石１００Ｃおよび１００Ｆの隣接した長縁部の２つの部分に沿った磁力１１５も、顔部３０と基部２０との間に封止の一部を形成する。配管内の個々の磁石の間の磁気封止、および顔配管９０と基部配管８０の対応する磁石の間の磁気封止を組み合わせて、顔部３０と基部２０との間に全体の磁気封止を形成し、これにより顔部３０を基部２０から取り外し、また基部２０に再び取り付けることができ、取り付けたとき、封止は風雨および冷却要素が基部２０と顔部３０との間の連結部で頭部衣類１０に侵入するのを防ぐ。
【００５０】
有利なことに顔部２０が基部３０に封止されると、各内部磁石１００Ｂおよび１００Ｅは、少なくとも３つの異なる側面上で別の磁石に磁気連結され、４つの独立した磁力を有する一方で、各端部磁石１００Ａ、１００Ｃ、１００Ｄ、１００Ｆは２つの異なる側面上で別の磁石に磁気連結され、３つの独立した磁力を有する。
【００５１】
開示された実施形態の上の記載は、当業者が本発明を作成し、または使用することができるように提供されている。これらの実施形態への様々な修正が当業者には容易に明らかになり、本明細書に記載された包括的な原理を、本発明の精神または範囲から逸脱することなく他の実施形態に適用することができる。したがって本明細書に提示された記載および図面は、本発明の現在好ましい実施形態を代表し、したがって本発明によって広く企図される主題の代表であることを理解されたい。本発明の範囲は、当業者に明らかになることがある他の実施形態を完全に包含し、したがって本発明の範囲は限定されないこともさらに理解されたい。
【図１Ａ】
2019502038.tif 000003
【図１Ｂ】
2019502038.tif 000004
【図１Ｃ】
2019502038.tif 000005
【図２Ａ】
2019502038.tif 000006
【図２Ｂ】
2019502038.tif 000007
【図２Ｃ】
2019502038.tif 000008
【図３Ａ】
2019502038.tif 000009
【図３Ｂ】
2019502038.tif 000010
【図３Ｃ】
2019502038.tif 000011
【図４Ａ】
2019502038.tif 000012
【図４Ｂ】
2019502038.tif 000013
【図４Ｃ】
2019502038.tif 000014
【図４Ｄ】
2019502038.tif 000015
【図５Ａ】
2019502038.tif 000016
【図５Ｂ】
2019502038.tif 000017
【図５Ｃ】
2019502038.tif 000018
【図５Ｄ】
2019502038.tif 000019
【国際調査報告】
2019502038.tif 000020